(57)【要約】      （修正有）【課題】高速で振動させることにより、化粧パウダーを肌に塗ると同時に肌をマッサージすることにより顔のむくみを取ることができる電動メイクブラシを提供する。【解決手段】メイクブラシ毛３が固定されたメイクブラシ１と、メイクブラシに振動を伝える本体２から構成される電動メイクブラシにおいて、嵌合部６を介して本体へのメイクブラシの取り付けおよび取り外しが可能であり、電源１５と、電源からの電力供給を受けて振動する振動部１０〜１２と、振動をメイクブラシに伝える振動板９と、振動部の動作を制御するスイッチ１６が本体に設けられている。また、メイクブラシに代えて、樹脂やゴム、または金属製で肌にダメージを与えないなめらかな曲面形状の先端部を持つマッサージヘッドが取り付けられている。【選択図】図１
0003195415.tif 000002
【実用新案登録請求の範囲】
【請求項１】
振動機能を有する電動メイクブラシであって、前記メイクブラシは振動源としての振動子、メイクブラシ、電池、本体ケースを有していることを特徴とする。
【請求項２】
請求項１に示す電動メイクブラシ構造で、メイクブラシに代えて、より振動を肌に伝えやすい剛性を持つ樹脂やゴムや金属製で肌にダメージを与えないなめらかな曲面形状の先端部を持ち振動することによりマッサージ機能を有する先端部に取替え可能な電動メイクブラシ。
【請求項３】
請求項１、２に示す電動メイクブラシであり、振動パワーや振動数を可変あるいは切り替え可能とすることを特徴とする電動メイクブラシ。
【考案の詳細な説明】
【技術分野】
【０００１】  本発明は化粧（以後、メイクと称す）に使用するメイクブラシに関するものである。
【背景技術】
【０００２】  一般にメイクブラシは、ファンデーションを顔に塗布した後、メイクパウダーをメイクブラシに取り、顔に塗るために使用される。  ファンデーションに使用されるパフは電動パフとして特開２０１３−５３８０９２として使用されているが、ブラシの電動メイクブラシは知られていない。【０００３】また、電動メイクブラシの電動機構は電動歯ブラシとして市販されているものの電動機構が使用可能である。  特許としては例えば、特開平６−９０８２４などがあげられる。
【先行技術文献】
【特許文献】
【０００４】
【特許文献１】特開２０１３−５３８０９２
【特許文献２】特開平６−９０８２４
【考案の概要】
【考案が解決しようとする課題】
【０００５】  加齢や疲れによって顔がむくみ、特に目周辺がむくみ老けた印象となる。このため、エステ等でむくみを取ることがよくされている。  しかし、エステは時間がかかり、それに代わる簡便性の高いものが求められている。  本発明はこのような問題を解決するためになされたもので、メイクブラシを高速で振動させることにより、化粧パウダーを肌に塗ると同時に肌をマッサージすることにより顔のむくみを取ることができる電動メイクブラシを提供することを目的とする。
【発明の効果課題を解決するための手段】
【０００６】  本発明の電動メイクブラシを用いて化粧パウダーを塗ると高速振動することにより、しわなどにもキメ細かく塗ることができる上、マッサージ効果により、顔のむくみを取ることができる。  特に、化粧直しの際は短時間で化粧パウダーを塗るとともに顔のむくみをとることができる。
【図面の簡単な説明】
【０００７】
【図１】本考案請求項１に関わる電動メイクブラシの構造を示す。
【図２】本考案請求項２に関わるメイクブラシに代わるマッサージ用のヘッド部を示す。
【図３】本考案請求項３に関わる電動メイクブラシの構造を示す。
【考案を実施するための形態】
【０００８】  以下に本考案に関わる電動メイクブラシの実施例を図１乃至図４に基づいて説明する。
【実施例１】
【０００９】  本考案請求項１に関わる電動メイクブラシの実施例を図１に示す。  図１に示す電動メイクブラシはメイクブラシ部１と握り部分である本体２を主要構成部材として備える。  メイクブラシ部１はブラシ部分３とブラシとブラシの取手をつなぐ接合部４とメイクブラシの取手５と本体との嵌合部６から構成されている。なお、メイクブラシ部分３のブラシは一般的な毛で良く、取手も木、樹脂、金属製でよい。  また、前記本体２は先すぼまり状の円筒状に形成され合成樹脂製のケース本体１７とケース本体１７の先すぼまり側に着脱可能なメイクブラシ１をはめ込むことができる。  はめ込むシャフト８とメイクブラシの穴６の形状は７に示すように半円状なので空回りすることなくメイクブラシ先端に振動が伝わる。  更にケース本体１７には電動モータ１２と電動モータ１２を駆動するための直流電源である電池１５、電動モータ１２と電池１５をつなぐ導電線１３、１４、１８と電動モータ１２の回転運動を高速振動に変換するためモータシャフト部１１に取りつけた偏心錘１０と電動モータ１２の高速微振動をメイクブラシ１に伝えるためのシャフト８とシャフト８に伝えるための振動板９と前記電池１５と電動モータ１２への通電状態をオン・オフに切り替えるスイッチ１６と電池１５を脱着できる電池脱着キャップ１９を設けている。【００１０】  ファンデーションを塗った後、この電動ブラシを使って、化粧パウダーやアイシャドー等を塗ると高速振動することにより、しわなどにもキメ細かく塗ることができる上、マッサージ効果により、顔のむくみを取ることができる。
【実施例２】
【００１１】  本考案請求項２に関わる実施例を図２に示す。  図２は図１の電動メイクブラシ本体２に取り付けることができるマッサージ用ヘッド部２０である。マッサージ用ヘッド部２０は先端ヘッド部２１、先端ヘッド部２１とブラシの取手をつなぐ接合部２２、メイクブラシの取手２３と本体との嵌合部２４から構成されている。肌を傷つけないように曲面形状の樹脂、ゴムまたは金属製のものである。  これを本体３０に取り付けて、顔等に押し当てて簡便にマッサージすることができる。
【実施例３】
【００１２】  本考案請求項３に関わる実施例を図３に示す。  図３は図１の電動メイクブラシと同様にメイクブラシ１と握り部分である本体３０を主要構成として備える。  本実施例は実施例１の構成に、モータの回転数を制御するための制御回路基板３１を電池１５とモータ１２の間に入れて、抵抗器を可変するボリュームつまみ３２を加えている。  制御回路基板の一例として図４に示す。抵抗を可変することにより、電圧を変え、モータの回転数を変更し、メイクブラシの振動パワーや振動数を変えることができる。
【符号の説明】
【００１３】１：メイクブラシ部２：電動メイクブラシの本体３：ブラシ部分４：ブラシとブラシの取手をつなぐ嵌合部５：メイクブラシの取手６：本体との嵌合部７：嵌合部分の形状８：モータの振動をブラシに伝えるシャフト９：モータの振動をブラシに伝える振動板１０：モータシャフト部に中心から外れ、偏芯状態で取り付けられた錘１１：電動モータのシャフト１２：電動モータ１３：電池とモータをつなぐ導電線１４：電池とモータをつなぐ導電線１５：電池１６：押しボタンスイッチ１７：電動メイクブラシの本体の握り部１８：電池とモータをつなぐ導電線１９：電池脱着キャップ２０：マッサージ用ヘッド部２１：ヘッド部２２：ヘッド部と取手をつなぐ接合部２３：取手２４：ヘッド部と取手をつなぐ嵌合部３０：電動メイクブラシの本体３１：モータの回転数を制御するための制御回路基板３２：抵抗を可変するボリュームつまみ３３：モータの回転数を制御するための制御回路部分３４：可変抵抗３５：直流ダイオード３６：ＮＰＮトランジスタ３７：モータ３８：電池
【図１】
0003195415.tif 000003
【図２】
0003195415.tif 000004
【図３】
0003195415.tif 000005
【図４】
0003195415.tif 000006
【手続補正書】
【提出日】平成26年9月24日(2014.9.24)
【手続補正１】
【補正対象書類名】実用新案登録請求の範囲
【補正対象項目名】全文
【補正方法】変更
【補正の内容】
【実用新案登録請求の範囲】
【請求項１】
メイクブラシ毛が固定されたメイクブラシと、前記メイクブラシに振動を伝える本体から構成される電動メイクブラシにおいて、前記本体への前記メイクブラシの取り付けおよび前記本体からの前記メイクブラシの取り外しが可能であることと、電源と、前記電源からの電力供給を受けて振動する振動部と、この振動をメイクブラシに伝える振動板と、前記振動部の動作を制御するスイッチが前記本体に設けられていることを特徴とする電動メイクブラシ。
【請求項２】
請求項１に示す電動メイクブラシで、メイクブラシに代えて、より振動を肌に伝えやすい剛性を持つ樹脂やゴム、または金属製で肌にダメージを与えないなめらかな曲面形状の先端部を持つマッサージヘッドを取り付け、本体からの振動によりマッサージ機能を有する電動メイクブラシ。
【請求項３】
請求項１または２記載の電動メイクブラシにおいて、振動部の振動パワーや振動数を可変とする動作を制御するボリュームつまみと制御基板が電動メイクブラシ本体に設けられていることを特徴とする電動メイクブラシ。
【手続補正２】
【補正対象書類名】明細書
【補正対象項目名】０００７
【補正方法】変更
【補正の内容】
【０００７】
【図１】本考案請求項１に関わる電動メイクブラシの構造を示す。
【図２】本考案請求項２に関わるメイクブラシに代わるマッサージ用のヘッド部を示す。
【図３】本考案請求項３に関わる電動メイクブラシの構造を示す。
【図４】本考案請求項３に関わる電動メイクブラシの本体に設けられた振動部の振動パワーや振動数を可変とする動作を制御する制御基板の一例。